【手続補正書】
【提出日】平成26年3月7日(2014.3.7)
【手続補正１】
【補正対象書類名】特許請求の範囲
【補正対象項目名】全文
【補正方法】変更
【補正の内容】
【特許請求の範囲】
【請求項１】
電気コネクタであって、
本体を介して延出している内側ソケット表面を有するソケットキャビティを有する前記本体と、シェルキャビティと前記内側ソケット表面の少なくとも一部と同形であり前記内側ソケット表面の少なくとも一部に層として貼着された外側シェル表面とを有する少なくとも一つのシェル層と、含むソケットシェルであって、前記少なくとも一つのシェル層が第１のシェル材料を含み、前記少なくとも一つのシェル層が前記ソケットキャビティへ圧入されて前記少なくとも一つのシェル層を前記内側ソケット表面の前記一部に貼着させる、ソケットシェルと、
前記シェルキャビティ内で摺動可能に受容されかつ前記シェルキャビティの第１の端部の第１の開口を介して延出している少なくとも一つのプランジャと、前記少なくとも一つのプランジャに付勢力を印加するように構成されている付勢デバイスと、を含むコンタクトプローブと、
を含む、電気コネクタ。
【請求項２】
前記第１のシェル材料が金及びニッケルの少なくとも一つから選択される、請求項１に記載の電気コネクタ。
【請求項３】
前記ソケットシェルに接触しかつ前記シェルキャビティ内の前記少なくとも一つのプランジャ及び前記付勢デバイスの少なくとも一つの摺動可能な動作を制限するように構成されている保持具を更に含む、請求項１に記載の電気コネクタ。
【請求項４】
複数のコンタクトプローブを更に含み、
前記本体は、各々が前記複数のコンタクトプローブの少なくとも一つに対応付けられる、複数のソケットキャビティを含む、請求項１に記載の電気コネクタ。
【請求項５】
前記内側ソケット表面は本体部分と首部を含み、前記内側ソケット表面の前記首部が前記内側ソケット表面の本体部分より小なる断面を有しており、
前記外側シェル表面は本体部分と首部を含み、前記外側シェル表面の前記首部が前記内側ソケット表面の前記首部と同形であり、前記外側シェル表面の前記本体部分が前記内側ソケット表面の前記本体部分と同形であり、
前記外側シェル表面の前記本体部分が前記内側ソケット表面の前記本体部分へ層として貼着され、前記外側シェル表面の前記首部が前記内側ソケット表面の前記首部に層として貼着される、請求項１に記載の電気コネクタ。
【請求項６】
前記内側ソケット表面が前記内側ソケット表面の前記本体部分と前記内側ソケット表面の前記首部とを連結する肩部を含み、
前記外側シェル表面が前記外側シェル表面の前記本体部分と前記外側シェル表面の前記首部とを連結する肩部を含み、
前記外側シェル表面の前記肩部は層として前記内側ソケット表面の前記肩部に貼着されることを更に含む、請求項５に記載の電気コネクタ。
【請求項７】
前記少なくとも一つのプランジャは、前記シェルキャビティの前記第１の端部の前記第１の開口を介して延出する第１のプランジャと、前記シェルキャビティの第２の端部の第２の開口を介して延出する第２のプランジャとを含み、
前記付勢デバイスは前記第１及び第２のプランジャが互いから間隔をとって付勢されるように前記第１及び第２のプランジャへ前記付勢力を印加するように構成されている、請求項１に記載の電気コネクタ。
【請求項８】
前記電気コネクタは前記コンタクトプローブを介して集積回路チップをプリント回路基板に電気的に接続するように構成されているインターコネクタであり、
前記第１のプランジャは前記集積回路チップに電気的に接続するように構成されており、
前記第２のプランジャは前記プリント回路基板に電気的に接続するように構成されている、請求項７に記載の電気コネクタ。
【請求項９】
前記電気コネクタは前記コンタクトプローブを介して集積回路チップをプリント回路基板に電気的に接続するように構成されているインターコネクタである、請求項１に記載の電気コネクタ。
【請求項１０】
前記少なくとも一つのプランジャが前記シェルキャビティ内に摺動可能に受容される尾部と前記集積回路チップ及び前記プリント回路基板の一つに接触して電気的な接続を形成するように構成されている先端とを含む、請求項９に記載の電気コネクタ。
【請求項１１】
前記付勢デバイスがバネである請求項１に記載の電気コネクタ。
【請求項１２】
前記少なくとも一つのプランジャが前記少なくとも一つのシェルキャビティ内に摺動可能に受容され、かつ接触する、請求項１に記載の電気コネクタ。
【請求項１３】
前記少なくとも一つのシェル層は、
第１のシェル材料から形成された第１の層であって、前記第１の層は前記内側ソケット表面の少なくとも一部と同形であり前記内側ソケット表面の少なくとも一部に層として貼着されている、第１の層と、
第２のシェル材料から形成され前記第１の装置の内側表面と接触する第２の層であって、前記第２のシェル材料は前記第１のシェル材料と異なる、第２の層と
を含む、請求項１に記載の電気コネクタ。
【請求項１４】
前記少なくとも一つのシェル層は、前記ソケットキャビティの長手方向に沿って略一定した断面を有する、請求項１に記載の電気コネクタ。
【請求項１５】
個々のコンタクトプローブは、他のコンタクトプロープによる集積回路チップとプリント回路基板との電気的接続から離れた、前記集積回路チップと前記プリント回路基板との電気的接続を提供する、請求項４に記載の電気コネクタ。
【請求項１６】
電気コネクタであって、
本体を介して延出している内側ソケット表面を有するソケットキャビティを有する前記本体と、シェルキャビティと前記内側ソケット表面の少なくとも一部と同形であり前記内側ソケット表面の少なくとも一部に層として貼着された外側シェル表面とを有する少なくとも一つのシェル層と、含むソケットシェルであって、前記少なくとも一つのシェル層が第１のシェル材料を含む、ソケットシェルと、
前記シェルキャビティ内で摺動可能に受容されかつ前記シェルキャビティの第１の端部の第１の開口を介して延出し、かつ前記少なくとも一つのシェル層に摺動可能に受容されかつ接触する尾部を含む、少なくとも一つのプランジャと、前記少なくとも一つのプランジャに付勢力を印加するように構成されている付勢デバイスと、を含むコンタクトプローブと、
を含む、電気コネクタ。
【請求項１７】
前記ソケットシェルに接触しかつ前記少なくとも一つのプランジャの摺動可能な動作を制限するように構成されている保持具を更に含み、前記付勢デバイスは、前記少なくとも一つのプランジャの前記尾部を前記尾部が前記保持具と前記少なくとも一つのシェル層に接触する位置に位置するように、前記少なくとも一つのプランジャに付勢力を印加するように構成されている、請求項１６に記載の電気コネクタ。
【請求項１８】
電気コネクタを形成する方法であって、
少なくとも一つの層がコアの外側表面の少なくとも一部と同形を成すように前記コアに前記少なくとも一つの層を貼着させるステップと、
前記少なくとも一つの層を有している前記コアをソケット本体のソケットキャビティへ挿入するステップであって、前記ソケットキャビティが内側表面を含む、ステップと、
前記少なくとも一つの層が前記ソケットキャビティの前記内側表面に貼着された少なくとも一つのシェル層を形成するように、前記少なくとも一つの層の少なくとも一部を残しながら前記ソケットキャビティから前記コアを除去し、前記少なくとも一つのシェル層は、前記内側ソケット表面の少なくとも一部と同形でありながら前記内側ソケット表面の前記少なくとも一部に層として貼着され外側シェル表面を有するシェルキャビティを含み、前記少なくとも一つのシェル層は第１のシェル材料を備えるステップと、
前記少なくとも一つのプランジャが前記シェルキャビティ内に摺動可能に受容されると共に前記シェルキャビティの第１の端部の第１の開口を介して突出し、前記付勢デバイスが前記少なくとも一つのプランジャに付勢力を印加し、かつ前記少なくも一つのプランジャの尾部が前記少なくとも一つのシェル層に摺動可能に受容される共に接触するように、少なくとも一つのプランジャと付勢デバイスを前記シェルキャビティ内へ挿入し、前記少なくとも一つのプランジャと前記付勢デバイスがコンタクトプローブを構成するステップと
を含む、方法。
【請求項１９】
前記シェルキャビティにおける前記少なくとも一つのプランジャと前記付勢デバイスの少なくとも一つの摺動動作を制限するために、保持具を用いて前記シェルキャビティの開口端を少なくとも部分的に閉成し、前記保持具は前記少なくとも一つのプランジャに接触して前記少なくも一つのプランジャの摺動可能な動作を制限し、前記付勢デバイスは、前記少なくとも一つのプランジャを一つのプランジャの前記尾部が前記保持具と前記少なくとも一つのシェル層に接触する位置に位置するように、前記少なくとも一つのプランジャに付勢力を印加するように構成されている、ステップを更に含む、請求項１８に記載の方法。